(57)【要約】【課題】一時的に大量に発生するアオサ等の不要藻や水底に堆積している浮泥などを、広い範囲の水深で効率よく回収ことにある。【解決手段】一時的に大量に発生するアオサ等の不要藻や水底に堆積している浮泥などの水と比重差が無く、また内部に絡みつく等の原因で既存のポンプなどでは吸引回収しにくい浮遊堆積物を、水底面に設置した吐出口より圧縮空気により舞い上げ吸引管に導き、この圧縮空気と吸引口内に吐出させた２次エアの急激な上昇に伴う水流によりこれら堆積物と、吸引口周辺の浮遊している不要藻や浮泥などをともに水面まで持ち上げ、回収する【選択図】図１
2009022834.tif 000002
【特許請求の範囲】
【請求項１】
水底面に圧縮空気の吐出口を設け水面方向に垂直に圧縮空気を吐出することにより、水底に浮遊又は堆積する不要藻類、浮泥等を水底より剥離、舞い上がらせ吸引回収する水中及び水底に浮遊又は堆積する不要藻類、浮泥等を回収する装置
【請求項２】
請求項１に記載の水中及び水底に浮遊又は堆積する不要藻類、浮泥等を回収する装置において、吸引口を圧縮空気の吐出口の垂直直上に設けることにより、吐出された圧縮空気がその浮力によりスムースに吸引口内に入りこれにより舞い上がった水底に浮遊又は堆積していた不要藻類、浮泥等を吸引口内に導き、あわせてこの圧縮空気の浮上により引き起こされる水流により付近に浮遊する不要藻類、浮泥等も吸引して、付属のホース等を伝い水面まで浮上させ回収することを特徴とした水中及び水底に浮遊又は堆積する不要藻類、浮泥等を回収する装置
【請求項３】
請求項１及び請求項２に記載の水中及び水底に浮遊又は堆積する不要藻類、浮泥等を回収する装置において、吸引口の形状を円錐形等の底面積が上部に向かって順次減少する形状とすること及び吸引口内内週に多数の圧縮空気吐出口を設けこれより水面方向上方に圧縮空気を吐出することにより、導入吸引した不要藻類、浮泥等をさらに加速浮上させ付属のホース等を伝い水面で網等に回収する、水中及び水底に浮遊又は堆積する不要藻類、浮泥等を回収する装置
【発明の詳細な説明】
【技術分野】
【０００１】
本発明は、水中及び水底に浮遊又は堆積する不要藻類、浮泥等を回収する装置に関するものである。
【背景技術】
【０００２】
近年、湖、内湾海域などの閉鎖性の強い水域において周辺環境の変化にともない流入栄養塩等が増加し水質が富栄養化して、アオサやアオコ等の不要な藻や海草類が異常繁殖したり、これら有機物の分解残渣である浮泥が堆積する等の問題がおきている。
【０００３】
しかし、アオサなどの不要藻や浮泥などは比重が水とほとんど等しく、水中を浮遊あるいは水底に軟らかく堆積しており、網篭などで回収しようとしても、網篭の移動によっておきる僅かな水流でも流さされ、回収口から逃げて回収しがたい、またポンプ等で吸引回収しようとすれば、インペラーや弁部などポンプ内の可動部分に絡み引っかかる等して吸引することが出来ない。
【０００４】
また、アオサなどの不要藻などは一時期に大量に発生、成長するので、比較的短時間に大量に回収する必要がある。加えて回収後の処理あるいは再利用方を考慮すれば腐敗してしまう前の新鮮な状態で尚且つ水底の土砂などの異物の混入が無いほうが望ましい。
【０００５】
これまで、地引網を用いたり各種吸引ポンプによるもの等種々試されたが、大きな成果を挙げたものは見当たらない、陸岸に打ち上げられたものをブルドーザーやバックホーなどの重機で大量に回収する方法は実践されているが、陸岸まで到達する間に腐敗が進んでいたり、砂等が混入するので後の処理、再利用に大きな障害となっている。またベルトコンベアー状のものでアオサ等を掬い取るアオサ回収船も開示されているが、コンベアーの長さ角度により回収作業が可能な水深は限られている。
【特許文献１】特開平０７−０４７９８９公報
【発明の開示】
【発明が解決しようとする課題】
【０００６】
解決しようとする問題点は、一時的に大量に発生するアオサ等の不要藻や水底に堆積している浮泥などの水と比重差が無く、また内部に絡みつく等の原因で既存のポンプなどでは吸引回収しにくい浮遊堆積物を、浅場から比較的深いところまでの広い範囲の水深で効率よく回収ことにある。
【課題を解決するための手段】
【０００７】
本発明は、一時的に大量に発生するアオサ等の不要藻や水底に堆積している浮泥などの水と比重差が無く、また内部に絡みつく等の原因で既存のポンプなどでは吸引回収しにくい浮遊堆積物を、水底面に設置した吐出口より圧縮空気により舞い上げ吸引管に導き、この圧縮空気と吸引口内に吐出させた２次エアの急激な上昇に伴う水流によりこれら堆積物と、吸引口周辺の浮遊している不要藻や浮泥などをともに水面まで持ち上げ、回収することを特徴とする。
【発明の効果】
【０００８】
本発明の水中及び水底に浮遊又は堆積する不要藻類、浮泥等を回収する装置は、これら水底に浮遊又は堆積する不要藻類、浮泥等を、圧縮空気により水底から舞い上がらせ吸引浮上させて回収するため、比重差のないこれらをスムースに吸引し、吸引から回収までの経路中にインペラー、弁など引っかかるなどの要素も無く、また圧縮空気による舞い上げ、その浮力により生じる水流による吸引のため砂等の比重の重い異物を吸引することなく、加えてごく浅い水域から比較的深いところまで水深に関係なく水底に浮遊又は堆積する不要藻類、浮泥等を回収することが効率よく出来る利点がある。
【発明を実施するための最良の形態】
【０００９】
続いて、添付した図面を参照しつつ、本発明を実施するための最良の形態につき説明し、本発明の理解に供する。
図１は、本発明の１実施例の全体図であって、１は、本発明の水中及び水底に浮遊又は堆積する不要藻類、浮泥等を回収する装置本体であり、２は本発明装置の水中移動手段として好適である特願２００３−１６７２５０で開示され、特許３８０６７６１号として登録されている、エアーモーター駆動の水中作業機とその方法及びこれを使用した水底浄化装置とその方法、に開示されている圧縮空気により駆動され水底を走行し移動できる水中作業機で、これに本発明の装置を搭載し水底の起伏に応じて水底面６を移動する。３は２の水中作業機の母船でありこの母船上のコンプレッサー４により本発明装置及び水中作業機に圧縮空気を送り操作、操縦する。５は水面であり７のホースにより本装置で吸引した水底に浮遊又は堆積する不要藻類、浮泥等を水面まで導き、８の回収網内に回収する。９は本発明の装置及び水中作業機に圧縮空気を送気するホースである。
【実施例１】
【００１０】
図１は、本発明装置の１実施例の全体図であって、２の水中作業機に搭載した本発明の装置に母船３より４のコンプレッサーにより圧縮空気を送気し運転する。本発明の装置により吸引された水底に浮遊又は堆積する不要藻類、浮泥等は７のホースを通って母船３に保持された８の回収ネット内に回収される。
【００１１】
３の母船及び４のコンプレッサーは汎用のものであり、本発明は水中及び水底に浮遊又は堆積する不要藻類、浮泥等を回収する装置本体に関するものなので、説明は省略する。
【００１２】
図２は、本発明の１実施例の平面図及び側面図であって、本発明の装置の底面は水底面に沿って移動される。このとき１５の堆積物起し爪が水底に堆積している不要藻類、浮泥等を掻揚、１４の収集篭により１２の吸引口へと収束される、収束した不要藻類、浮泥等の下に位置し、水底面上にある圧縮空気吐出口１０より、水面方向垂直に勢い良く吐出された圧縮空気はこれら不要藻類、浮泥等を舞い上げ、圧縮空気自身の浮力も加わって浮上速度を増しながら吸引口１２へ向かう、このとき浮上する圧縮空気との摩擦により吸引口１２へ向かい収束する水流も発生する。このため舞い上げられた不要藻類、浮泥等は１３のガイド棒に沿って吸引口１２にこの水流と共に吸引される。
【００１３】
吸引口１２は円錐状になっており、吸引された不要藻類、浮泥等と水流は収束されるため流速を増す、またこの吸引口１２の内側壁内周に多数設けた吸引口内２次エア吐出口１１からも圧縮空気を上方水面方向に吐出させるのでこれら不要藻類、浮泥等と水流は益々増速浮上するので、１２の吸引口入り口には益々吸引口１２へ向かい収束する吸引流が生じ周辺に浮遊している不要藻類、浮泥等も巻き込み吸引する。
【００１４】
このとき、比重の重い土砂等は舞い上がらずほとんど吸引されない。こうして吸引された不要藻類、浮泥等は７のホース内を浮上する圧縮空気とこれに伴い生じる水流により速度を増しながら水面へ向かい、８の回収ネット内に回収される。
【産業上の利用可能性】
【００１５】
湖、内湾海域などの閉鎖性の強い水域において周辺環境の変化にともない流入栄養塩等が増加し水質が富栄養化して、アオサやアオコ等の不要な藻や海草類が異常繁殖したり、これら有機物の分解残渣である浮泥が堆積する等の問題があり、これら不要藻類、浮泥等は水底面を覆いつくして水産資源の減少をももたらしている、したがってこれらを回収することは水産資源の回復に資することとなる。また回収した不要藻類を再生再利用し食品、肥料あるいはバイオマスエネルギー原料として利用する研究も進んでおり、腐敗前の状態で砂等の混入が少ない本発明装置による回収は、この用途にも適用できる。
【図面の簡単な説明】
【００１６】
【図１】水中及び水底に浮遊又は堆積する不要藻類、浮泥等を回収する装置実施方法を示した全体説明図である。（実施例１）
【図２】水中及び水底に浮遊又は堆積する不要藻類、浮泥等を回収する装置の実施方法を示した平面図及び側面図である。（実施例１）
【符号の説明】
【００１７】
１    水中及び水底に浮遊又は堆積する不要藻類、浮泥等を回収する装置本体
２    エアーモーター駆動の水中作業機とその方法及びこれを使用した水底浄化装置とその方法
３    母船
４    エアーコンプレッサー
５    水面
６    水底
７    ホース
８    回収ネット
９    送気ホース
１０  圧縮空気吐出口
１１  吸引口内２次エア吐出口
１２  吸引口
１３  ガイド棒
１４  収集篭
１５  堆積物起し爪
【図１】
2009022834.tif 000003
【図２】
2009022834.tif 000004